(57)【要約】【課題】耐久性が高く容易に使用可能であり、人には不快感が少ない音を使用して、有害動物には高い忌避効果を有し確実に追い払うことができる有害動物忌避装置を提供する。【解決手段】電源３６に接続されたモータ４０と、モータ４０により回転する回転軸４２に接続されモータ４０の回転により揺動する重り４６と、重り４６を囲む筒体である音発生筒部材１４を有する。音発生筒部材１４は、合成樹脂により一体に成形されて断面が多角形の筒体に形成され、音発生筒部材１４の一方の端部は開口され、他方の端部は板状の天面部２０で閉鎖され、天面部２０には小さい径の筒体である収容筒部材１２が貫通している。モータ４０の回転により重り４６が音発生筒部材１４の内周面に衝突して、有害動物が忌避反応を示す２００Ｈｚ〜５００Ｈｚの周波数の打撃音を発生する【選択図】図１
2018110546.tif 000002
【特許請求の範囲】
【請求項１】
電源に接続されたモータと、前記モータにより回転する回転軸に接続され前記モータの回転により揺動する重りと、前記重りを囲む筒体である音発生筒部材とを備え、
前記音発生筒部材は、合成樹脂により断面が多角形の筒体状に一体に形成され、前記筒体の一方の端部は開口され、他方の端部は板状の天面部で閉鎖されているとともに、前記天面部に透孔が形成されて筒体である収容筒部材が貫通して設けられ、
前記収容筒部材の内側には前記電源と前記モータが設けられ、前記モータの前記回転軸が前記音発生筒部材の内側に突出して前記重りが接続され、
前記モータの回転により前記重りが前記音発生筒部材の内周面に衝突して、有害動物が忌避反応を示す２００Ｈｚ〜８００Ｈｚの周波数の打撃音を発生することを特徴とする有害動物忌避装置
【請求項２】
地面に設置された三脚を設け、前記三脚の内側で前記音発生筒部材の下端部の開口が下方を向いて吊り下げられ、前記音発生筒部材または前記収容筒部材の側面は、前記三脚により保持されている請求項１記載の有害動物忌避装置。
【請求項３】
前記音発生筒部材は、互いに隣接する側面の成す角度が９０度よりも大きく１５０度以下である請求項１記載の有害動物忌避装置。
【請求項４】
前記音発生筒部材は、断面が五角形又は六角形の筒体に形成されている請求項３記載の有害動物忌避装置。
【請求項５】
前記収容筒部材の下端部には、外側面を一周するフランジ部が設けられ、前記音発生筒部材の前記天面部を前記収容筒部材が貫通して取り付けられた状態で、前記フランジ部が前記音発生筒部材の前記天面部の裏面側に嵌合して位置決めされる請求項１記載の有害動物忌避装置。
【請求項６】
前記モータと前記重りの間には、コイルスプリングが設けられている請求項３記載の有害動物忌避装置。
【請求項７】
前記有害動物忌避装置には前記モータを制御する制御部が設けられ、前記制御部は前記モータを設定された時間間隔で繰り返し駆動する請求項１乃至６のいずれか記載の有害動物忌避装置。
【発明の詳細な説明】
【技術分野】
【０００１】
この発明は、農作物に害を与えるイノシシ等の有害動物が田畑や人家の近くに侵入することを防止する有害動物忌避装置に関する。
【背景技術】
【０００２】
従来、音や振動を発生させることにより有害動物の侵入を防ぐ装置が提案されている。例えば、特許文献１に開示されている有害動物撃退装置は、外側を覆う金属製の筒部材と、筒部材の内側に設けられた電池と、電池に接続されたモータを有する。モータの回転軸には、モータの回転により揺動して筒部材の内側面に当たって音を発生する重りが設けられている。モータを回転させると、重りが筒部材の内面に衝突して打撃音を発し、打撃音により有害動物を警戒させ追い払うことができる。
【０００３】
また、特許文献２には、イノシシなどの有害動物を忌避する装置であって、周波数１５０Ｈｚ〜８００Ｈｚの音波を発振する音波発振手段を備える有害動物忌避装置を開示している。この有害動物忌避装置の音波を発生させる装置は、スピーカーや笛である。
【先行技術文献】
【特許文献】
【０００４】
【特許文献１】特開２０１５−３９３５５号公報
【特許文献２】特開２０１０−２４６５３５号公報
【発明の概要】
【発明が解決しようとする課題】
【０００５】
上記背景技術の特許文献１に開示された有害動物撃退装置の場合、重りや筒部材が金属で作られ、筒部材に衝突して発生する音の周波数帯域が幅広く、打撃音が騒音となり、人にも不快感を与えるものである。さらに、金属製の重りを駆動するためモータの負担も大きく電池の消耗も早くなる場合もあった。
【０００６】
特許文献２に開示された有害動物忌避装置の場合、音の発生源がスピーカーや笛であり、スピーカーを野外に置いて長期間使用するには、電子機器やスピーカーの防水性や対候性が問題となる。また、笛は、常時使用できるものでなく、使用し難いものである。
【０００７】
この発明は、上記背景技術の問題点に鑑みてなされたものであり、耐久性が高く容易に使用可能であり、人には不快感が少ない音を使用して、有害動物には高い忌避効果を有し、確実に追い払うことができる有害動物忌避装置を提供することを目的とする。
【課題を解決するための手段】
【０００８】
本発明は、電源に接続されたモータと、前記モータにより回転する回転軸に接続され前記モータの回転により揺動する重りと、前記重りを囲む筒体である音発生筒部材とを備え、前記音発生筒部材は、合成樹脂により断面が多角形の筒体状に一体に形成され、前記筒体の一方の端部は開口され、他方の端部は板状の天面部で閉鎖されているとともに、前記天面部に透孔が形成されて筒体である収容筒部材が貫通して設けられ、前記収容筒部材の内側には前記電源と前記モータが設けられ、前記モータの前記回転軸が前記音発生筒部材の内側に突出して前記重りが接続され、前記モータの回転により前記重りが前記音発生筒部材の内周面に衝突して、有害動物が忌避反応を示す２００Ｈｚ〜８００Ｈｚ、好ましくは２００Ｈｚ〜５００Ｈｚの周波数の打撃音を発生する有害動物忌避装置である。
【０００９】
さらに、地面に設置された三脚を設け、前記三脚の内側で前記音発生筒部材の下端部の開口が下方を向いて吊り下げられ、前記音発生筒部材または前記収容筒部材の側面は、前記三脚により保持されているものである。前記三脚は、中間部が環部材により連結保持されていると良い。
【００１０】
前記音発生筒部材は、互いに隣接する側面の成す角度が９０度よりも大きく１５０度以下であると良い。特に、前記音発生筒部材は断面が五角形又は六角形の筒体に形成されているものである。
【００１１】
さらに、前記収容筒部材の下端部には、外側面を一周するフランジ部が設けられ、前記音発生筒部材の前記天面部を前記収容筒部材が貫通して取り付けられた状態で、前記フランジ部が前記音発生筒部材の前記天面部の裏面側に嵌合して位置決めされるものである。また、前記モータと前記重りの間には、コイルスプリングが設けられていると良い。
【００１２】
前記有害動物忌避装置には前記モータを制御する制御部が設けられ、前記制御部は前記モータを設定された時間間隔で繰り返し駆動すると良い。
【発明の効果】
【００１３】
本発明の有害動物忌避装置は、人には不快感が少ない音を発生させて、有害動物には高い忌避効果を有し確実に追い払うことができる。しかも、容易に使用可能であり、忌避効果が長期間持続し、耐久性も高いものである。
【図面の簡単な説明】
【００１４】
【図１】この発明の第一実施形態の有害動物忌避装置の正面図である。
【図２】この実施形態の有害動物忌避装置の斜視図である。
【図３】この実施形態の有害動物忌避装置の分解した正面図である。
【図４】この実施形態の有害動物忌避装置を設置した状態を示す斜視図である。
【図５】この発明の第二実施形態の有害動物忌避装置の正面図である。
【図６】この実施形態の有害動物忌避装置の斜視図である。
【発明を実施するための形態】
【００１５】
以下、この発明の実施形態について図面に基づいて説明する。図１〜図３はこの発明の第一実施形態を示すもので、この実施形態の有害動物忌避装置１０は、クマ等の大型の動物や、イノシシやハクビシン等を対象として、２００Ｈｚ〜８００Ｈｚ、好ましくは２００Ｈｚ〜５００Ｈｚの音で威嚇してこれらの有害動物を排除するものである。２００Ｈｚ〜８００Ｈｚの音は、打撃音等で発生してもよく、録音または合成した音を再生して流しても良い。２００Ｈｚ〜８００Ｈｚの音は、子供を持つイノシシが敵を威嚇する時に出す短く低い警戒音に似ているもので、イノシシ等の動物には不快な周波数の音である。
【００１６】
この実施形態の有害動物忌避装置１０は、後述する電池３６や制御部３８、モータ４０を覆う細長い円筒体であり軸方向が、使用状態において上下方向に位置する収容筒部材１２と、収容筒部材１２の下端部１２ａに取り付けられ収容筒部材１２より大きい径の六角筒体である音発生筒部材１４が互いに組み付けられて設けられている。
【００１７】
収容筒部材１２は、一定の断面形状を有する円筒体であり、上端部１２ｂと下端部１２ａは開口されている。収容筒部材１２の下端部１２ａの少し上方には、外側面を一周するフランジ部１５が設けられている。フランジ部１５は、上下方向の厚みが薄い四角形の板体であり、周縁部は、下端部１２ａに向かって湾曲した曲面に形成されている。フランジ部１５には、収容筒部材１２の直径の延長線上に２個、音発生筒部材１４に取り付けるためのネジ１８が螺合される図示しないネジ穴が設けられている。収容筒部材１２は、例えばＰＰ樹脂製やＰＥ樹脂製であり、色は例えばイノシシ等が認識可能な青である。
【００１８】
音発生筒部材１４は、水平方向の断面形状が上端部１４ｂよりも下端部１４ａの方が大きい形状であり、下端部１４ａに近づくにつれて徐々に広がる角錐台状である。音発生筒部材１４の下端部１４ａは開口され、上端部１４ｂは板状の天面部２０で閉鎖されている。なお、６つの側面と天面部２０の間の各角部は曲面で面取りされている。天面部２０の中心には、収容筒部材１２の下端部１２ａが挿通される透孔２２が上下に貫通して形成されている。天面部２０の上面の中央には、天面部２０から上方に高くなる矩形の段部２４が設けられ、さらに段部２４の上面には円筒状の嵌合筒部２６が形成され、段部２４と嵌合筒部２６の中心には透孔２２が上下に貫通している。段部２４の上面には、矩形の段部２４の対角線上に、収容筒部材１２のフランジ部１５のネジ穴に螺合されるネジ１８が差し込まれる挿通孔２８が一対設けられ、挿通孔２８は、天面部２０と段部２４を上下に貫通して設けられている。段部２４の下面には、挿通孔２８と同芯状に四角形の凹部２４ａが形成されている。凹部２４ａは、フランジ部１５が嵌合し位置決めされる形状に設けられている。
【００１９】
音発生筒部材１４は、例えばＰＰ樹脂製やＰＥ樹脂製であり、ブロー成形等により作られる。音発生筒部材１４は、２００Ｈｚ〜８００Ｈｚ、好ましくは２００Ｈｚ〜５００Ｈｚの音が発生するように、厚みが１ｍｍ〜１．５ｍｍである。大きさは、例えば六角筒を形成する６つの側面は台形状に形成され下底である下端部１４ａは例えば約４ｃｍであり、上底である上端部１４ｂは例えば約３．５ｃｍである。なお、音発生筒部材１４の下端部１４ａの大きさは、例えば６つの側面の辺同士の間隔は約１４ｃｍ、６つの側面の角部同士の間隔では約１６ｃｍとなる。上端部１４ｂの径は、６つの側面の辺同士の間隔が約１２ｃｍ、６つの側面の角部同士の間隔では約１３．８ｃｍとなる。下端部１４ａから上端部１４ｂまでの高さは約１３ｃｍである。色は、例えばイノシシ等が認識可能な青色が好ましい。
【００２０】
収容筒部材１２の上端部１２ｂは、キャップ１６が嵌められて閉鎖されている。キャップ１６は、収容筒部材１２の上端部１２ｂの開口を閉鎖する天面１６ａを有し、天面１６ａの周囲には収容筒部材１２の外側面を一周して覆う側面１６ｂが設けられている。天面１６ａの外側面には、吊り下げ用の孔を有した係止部２９が取り付けられている。天面１６ａの内側面には、後述するケース３２を吊り下げるフック３０が設けられている。キャップ１６は収容筒部材１２、音発生筒部材１４と同じく、ＰＰ樹脂製やＰＥ樹脂製であり、色は例えば青である。
【００２１】
収容筒部材１２の中には、収容筒部材１２より少し短い円筒形状の細長いケース３２が設けられている。ケース３２は、収容筒部材１２と同じくＰＰ樹脂製やＰＥ樹脂製であり、収容筒部材１２にわずかなゆとりを有して嵌合される円筒状の箱体である。ケース３２の、キャップ１６側となる上端部３２ｂの外側面には、係止突部３４が設けられ、係止突部３４には、キャップ１６のフック３０が差し込まれて吊り下げられる透孔３４ａが設けられている。
【００２２】
ケース３２の中には、電源である電池３６が２個直列で１組または直列に２組収容されている。電池３６は、例えばアルカリ単一電池である。ケース３２の中の、上端部３２ｂと反対側の下端部３２ａに近い位置には、制御用電子回路が形成された制御部３８が設けられ、さらに下端部３２ａ側には、モータ４０が設けられている。電池３６は、制御部３８とモータ４０に接続され、制御部３８とモータ４０も互いに接続されている。ケース３２には、電池３６の交換や、制御部３８とモータ４０のメンテナンスを行う図示しない蓋部が設けられている。
【００２３】
制御部３８には、図示しないタイマーが設けられ、後述するように、モータ４０を間欠駆動や、所定時間を区切ったタイマー駆動する制御を行う。さらに、制御部３８には、昼夜を判別するための光センサである明かりセンサと、イノシシ等の外周の体温を検出する焦電センサやその他の赤外線センサの体温センサの出力が入力されてもよく、明るさや対象物の有無に合わせて駆動しても良い。
【００２４】
ケース３２の下端部３２ａには、モータ４０の回転軸４２が外側に突出している。回転軸４２は、有害動物忌避装置１０の組立状態で収容筒部材１２の下端部１２ａから突出し、音発生筒部材１４の上端部１４ｂから音発生筒部材１４の内側に向かって突出する。回転軸４２の突出する先端には、円盤状の金属製のプーリー４３が同軸で固定されている。プーリー４３の周辺部には、厚み方向、つまり上下方向に貫通する孔部４３ａが複数、例えば４個形成されている。４個の孔部４３ａは、プーリー４３の円周に沿って等間隔に設けられている。プーリー４３の孔部４３ａの１個には、所定の長さのコイルスプリング４４が取り付けられている。コイルスプリング４４は、例えばＳＵＳ製の引張バネであり、直径０．８ｍｍ×外系１０ｍｍ×長さ３８ｍｍである。コイルスプリング４４の基端部がプーリー４３に連結され、先端部は下垂し、下垂した先端部には合成樹脂製の重り４６が取り付けられている。重り４６は、例えばＡＢＳ樹脂で射出成形によって作られ、直径が１４ｍｍの球体であり、重さは２ｇである。音発生筒部材１４に衝突した時に約２００Ｈｚ〜８００Ｈｚの音が発生するものである。コイルスプリング４４と重り４６は、音発生筒部材１４の内側に位置し、フリーな状態で揺動可能である。なお、プーリー４３のその他の３個の孔部４３ａは、長期間の使用により孔部４３ａが破損した時の予備である。
【００２５】
この実施形態の有害動物忌避装置１０の組立方法は、まず音発生筒部材１４の下端部１４ａから収容筒部材１２を入れ、透孔２２を挿通して上方に引き出し、収容筒部材１２のフランジ部１５が音発生筒部材１４の段部２４の下面側の四角形の凹部２４ａに嵌合し位置決めされる。そして、段部２４に形成された挿通孔２８に、ネジ１８を差し込み、ネジ１８の先端を収容筒部材１２のフランジ部１５に形成されたネジ穴に螺合して、一体に係止する。ケース３２に電池３６、プーリー４３、コイルスプリング４４、重り４６、キャップ１６を取り付け、収容筒部材１２の上端部１２ｂから入れ、キャップ１６を収容筒部材１２上端部１２ｂに係止する。音発生筒部材１４の内側にコイルスプリング４４と重り４６が揺動可能に位置し、組立が完了する。そして、係止部２９に紐等を巻き付けて、木の枝や柵に結んで吊り下げて使用する。
【００２６】
この実施形態の有害動物忌避装置１０の使用に際しては、例えば図４に示すように、地面に置いた三脚６０の内側に吊り下げられて設けられる。三脚６０は、３本のポール６０ａを有し、上端部は結束部材６０ｂで束ねられ、下端部を広げた状態でポール６０ａの外側に、大きさの異なる３個の環部材６０ｃ，６０ｄ，６０ｅを互いに上下に離間させて取り付け、三脚の形状を保っている。有害動物忌避装置１０の上端部にはステンレス製等のＳ字フック６２が取り付けられ、Ｓ字フック６２は紐体６４で三脚６０の結束部材６０ｂ付近に吊り下げられている。これにより有害動物忌避装置１０は、３本のポール６０ａ及び３個の環部材６０ｃ，６０ｄ，６０ｅの内側に吊り下げられ、下端部１４ａは三脚６０の高さの半分よりもやや地面に近い位置に達して保持されている。
【００２７】
音発生筒部材１４には、適当な長さの連結保持部材である針金６６の一端部を取り付け、針金６６の他方の端部を、三脚６０のポール６０ａや環部材６０ｃ，６０ｄに巻き回して取り付ける。針金６６は、音発生筒部材１４を中心として放射方向に３本取り付け、音発生筒部材１４が三脚６０の中心軸に一致して下垂するように保持している。音発生筒部材１４の嵌合筒部２６の側周面に、針金６６を通して連結するための連結突起６８が設けられていても良い。
【００２８】
次に有害動物忌避装置１０の動作について説明する。まず、図示しないスイッチを入れると、モータ４０が回転して、モータ４０の回転軸４２に取り付けられているプーリー４３と、コイルスプリング４４と重り４６が、所定の回転数で回転する。回転は、タイマーにより設定した時間帯のみ作動するように制御部３８により制御される。さらに、モータ４０の回転動作を間欠駆動するように制御する。例えば、５秒間回転し、３０秒間停止した後、７秒間回転し、２０秒間停止する。これを繰り返す。その他、例えば明かりセンサにより、夜間に動くイノシシ用に、暗くなったことを検知してモータ４０を回転させてもよく、イノシシ等の動物の体温を検知する体温センサを作動させて、体温センサが検知信号を発した時にモータ４０が回転するように設定しても良い。
【００２９】
モータ４０の回転時、重り４６には回転による遠心力が働き、コイルスプリング４４が伸ばされて、音発生筒部材１４の六角筒の内周面に重り４６が当たって打撃音を発生する。この時、重り４６が音発生筒部材１４に衝突して、モータ４０に作用する力が変化し、モータ４０の回転速度や、重り４６の衝突位置、タイミングが異なり、音発生筒部材１４の内周面には重り４６が均等に当たらず、ランダムに音発生筒部材１４の内周面に衝突する。これにより、六角筒の内周面に断続的に不規則に重り４６が衝突し、不規則な打撃音を発生するため、イノシシやハクビシン等の有害動物にとって不快な状況になり、しかも慣れることがない。発生する音は、モータ４０の回転数、音発生筒部材１４と重り４６の素材や形状を調節し、２００Ｈｚ〜８００Ｈｚ、好ましくは２００Ｈｚ〜５００Ｈｚの周波数の音にする。なお、音発生筒部材１４の厚みが１ｍｍの場合、１６４Ｈｚ〜７０６Ｈｚ、８６．８ｄｂ程度の音が発生する。発生した音は、音発生筒部材１４の下方の開口から拡散するように広がり、広範囲に不規則な音を発信して、イノシシやハクビシン等の有害動物を慣れさせずに、長時間忌避効果を維持する。
【００３０】
有害動物忌避装置１０の電池３６が消耗した時は、収容筒部材１２からキャップ１６を外し、ケース３２を引き出して、ケース３２の図示しない蓋部を外して新しい電池３６と交換する。長期間の使用によりプーリー４３の孔部４３ａが摩耗して、側面側に切れることがあるが、切れた時は、予備の３個の孔部４３ａのいずれかにコイルスプリング４４を付け替える。
【００３１】
この実施形態の有害動物忌避装置によれば、人には不快感が少ない周波数の音を発生させて、有害動物には高い忌避効果を有し確実に追い払うことができる。音発生筒部材１４と重り４６を樹脂にして、柔らかく大きな音を発生可能にし、２００Ｈｚ〜８００Ｈｚの低周波数の音を発することができる。この周波数帯は、人間には耳障りではない低い音であるが、有害動物は忌避行動をとる音であり、確実に必要な周波数で警告音を発生するものである。音発生筒部材１４と重り４６は、ともに金属の場合と比べて柔らかい材料である合成樹脂で作られているため、衝突を繰り返しても一方がすり減ることがなく、耐久性がある。特に重り４６の材料であるＡＢＳ樹脂は摩擦に強いため、耐久性が高い。また、音発生筒部材１４が円筒の場合、重り４６が内周面で滑るように連続的に当たって、大きな音が発生しないが、六角筒等の角がある形の場合には、内周面により強く重り４６が衝突して大きな音及び振動を発生することができる。特に、六角筒は隣接する側面同士の間の角度が鈍角であり、内周面に対して重り４６が小さい角度で衝突し、跳ね返る角度も小さいため、滑らかに且つ連続的な打撃音が発生し、音発生筒部材１４および重り４６の寿命も長くなる。その他、跳ね返る角度が小さくスムーズに回転することができるため、重り４６とコイルスプリング４４が上方に跳ね上がってプーリー４３に絡むというトラブルがない。なお、五角筒でも同様であり、隣接する側面同士の間の角度が鈍角でありスムーズに回転することができる。
【００３２】
コイルスプリング４４は、長さが遠心力の強さにより変化し、重り４６が音発生筒部材１４の六角筒の内周面に均等に当たらず、不規則な音を断続的に発生する。このため、臆病で警戒心の強いイノシシやハクビシン等の有害動物にとって、不規則な音は警戒心を誘い、より効果的に長期間これらの有害動物を近づけない効果が持続する。
【００３３】
さらに、制御部３８により間欠的に駆動されるものであり、常時音が発生することがなく、この点からも静かで、寿命も長くなる。また、人間には耳障りではない低い音であるため、民家の近くでも使用可能であり、民家近くに出没するタヌキやハクビシンにも使用し追い払うことができる。なお、この発明による有害動物忌避装置は、録音した２００Ｈｚ〜８００Ｈｚ、好ましくは２００Ｈｚ〜５００Ｈｚの音を再生して発生させても、同様の効果を得ることができる。
【００３４】
プーリー４３には４個の孔部４３ａが設けられているため、長期間の使用により孔部４３ａが切れても予備の孔部４３ａにコイルスプリング４４を付け替えて使用することができる。音発生筒部材１４は、嵌合筒部２６に収容筒部材１２が挿通されて確実に取り付けられるため、風の影響等により、収容筒部材１２に対する横揺れと上下の振動を防ぐことができ、安定して音を発生させることができる。
【００３５】
また、有害動物忌避装置１０は安価であり、小形で製造が簡単であるため、容易に利用することができる。キャップ１６は簡単に防水構造にすることができ、耐水性を容易にかつ確実に持たせることができ、天候に関わらず屋外で長時間使用することができる。さらに、メンテナンスが容易であり、電池３６を交換して繰り返し使用することができ、省エネルギーで効率よく、長時間継続的に必要な周波数と必要な音量の警告音を出すことができ、ランニングコストも安価なものである。
【００３６】
特に、制御部３８によりタイマー駆動することによって、無駄な動作を省き省電力になり、間欠駆動によりさらに効率の良い駆動を行うことができる。また、明かりセンサや体温センサと組み合わせてモータ４０を駆動することができ、更に高効率で動作させることができ、無駄な音の発生を抑えて電池寿命を延ばし、メンテナンス回数も減らすことができる。
【００３７】
さらに、有害動物忌避装置１０は、三脚６０にＳ字フック６２と紐体６４により吊り下げられ、環部材６０ｃ，６０ｄ，６０ｅに針金６６等の連結部材で取り付けて設置することにより、確実に保持固定される。環部材６０ｃ，６０ｄ，６０ｅに針金６６等の連結部材で取り付けることにより、音発生筒部材１４が収容筒部材１２から外れることを阻止し、風で揺れ動くことが効果的に防止され、中間の環部材６０ｄにより三脚６０の外にはみ出て揺れることも防ぐことができる。また、三脚６０に取り付けることにより、音発生筒部材１４の形状が大きくても風の影響で大きく揺れることがなく、確実に大きな警告音を発生することができる。環部材６０ｃ，６０ｄ，６０ｅは、三脚６０を強固に固定し、音発生筒部材１４の保護も兼ねており、有害動物忌避装置１０を安定に設置することができる。この他、三脚６０には、Ｓ字フック６２によりワンタッチで取り付けることができ、着脱が簡単であり、また音発生筒部材１４には影響が出ない。Ｓ字フック６２はステンレス製であり、耐久性がある。
【００３８】
次にこの発明の第二実施形態について図５、図６に基づいて説明する。なお、ここで、上記実施形態と同様の部材は同様の符号を付して説明を省略する。この実施形態の有害動物忌避装置５０は、収容筒部材１２と、収容筒部材１２の下端部１２ａに取り付けられ収容筒部材１２より大きい径の四角筒体である音発生筒部材５２が互いに組み付けられて設けられている。四角筒体は、隣接する側面同士の間の角度が直角であり、上記実施形態の六角筒体の場合よりも内周面に重り４６が大きい角度で衝突し跳ね返る角度も大きいが、回転数が低い場合など、条件によっては四角筒を使用する。
【００３９】
収容筒部材１２は、一定の断面形状を有する円筒体であり、上端部１２ｂと下端部１２ａは開口されている。収容筒部材１２の下端部１２ａの少し上方には、外側面を一周するフランジ部５４が設けられている。フランジ部５４は板状であり、上端部１２ｂに向かって突出する差込突起５６が、収容筒部材１２の直径の延長線上に一対ずつ、計２個設けられている。
【００４０】
音発生筒部材５２は、水平方向の断面形状が上端部５２ｂよりも下端部５２ａの方が大きい形状であり、下端部５２ａに近づくにつれて徐々に広がる四角錐台状である。音発生筒部材５２の下端部５２ａは開口され、上端部５２ｂは板状の天面部２０で閉鎖されている。天面部２０の中心には、収容筒部材１２の下端部１２ａが挿通される透孔２２が上下に貫通して形成されている。天面部２０の上面の中央には、天面部２０から上方に高くなる矩形の段部２４が設けられ、さらに段部２４の上面には円筒状の嵌合筒部２６が形成され、段部２４と嵌合筒部２６の中心には透孔２２が上下に貫通している。段部２４の上面には、矩形の段部２４の対角線上に、収容筒部材１２のフランジ部５４の差込突起５６が差し込まれて係止する挿通孔５８が一対設けられ、挿通孔５８は、天面部２０と段部２４を上下に貫通して設けられている。音発生筒部材５２は、例えばＰＰ樹脂製やＰＥ樹脂製であり、ブロー成形により作られる。音発生筒部材５２は、２００Ｈｚ〜８００Ｈｚ、好ましくは２００Ｈｚ〜５００Ｈｚの音が発生するように、厚みは１ｍｍ〜１．５ｍｍである。大きさは、例えば四角筒を形成する４つの側面の下端部１４ａは約１３．５ｃｍ、上端部１４ｂは約１１．５ｃｍであり、音発生筒部材５２の下端部５２ａから上端部５２ｂまでの高さは約１３ｃｍである。色はイノシシ等が認識可能な青色である。
【００４１】
この実施形態の有害動物忌避装置５０によれば、上記実施の形態と同様の組立方法で製造され、同様の使用方法であり、同様の効果を有するものである。収容筒部材１２と音発生筒部材５２の連結にねじ等を使用せず、組立が容易であり、工具がない屋外等でも簡単に組み立てることができる。
【００４２】
なお、この発明の有害動物忌避装置は、上記実施の形態に限定されるものではなく、音発生筒部材の形状は、四角筒や六角筒以外に五角筒でも良く、五角形や六角形、八角形等、音発生筒部材は、互いに隣接する側面の成す角度が９０度よりも大きく１５０度以下の場合、特に好ましい。音発生筒部材の隣接する各側面がこのように形成されていると、上述のように、直角に交わる四角形の場合と比較して、側面に対する重りの跳ね返る角度が小さくなり、重りが回転軸に絡み付く等の弊害がなく、衝撃音も連続的に滑らかに発生する。さらに、長丸や楕円、半円状の断面形状でもよく、効果的に打撃音を発することができる形状であれば良い。音発生筒部材と収容筒部材は、一体的に合成樹脂で成形されて設けられていても良い。また、有害動物忌避装置を吊り下げる手段は係止部やＳ字フック以外でもよく、ケースをキャップに吊り下げるフックも、適宜変更可能である。コイルスプリングの強さや重りの重さ、モータの回転数は適宜変更可能であり、打撃による衝撃音が発生するように重りが音発生筒部材に断続的にぶつかるものであれば良い。電源は、充電式の電地や太陽電池等でも良い。各部材の合成樹脂の材料は、２００Ｈｚ〜８００Ｈｚ、好ましくは２００Ｈｚ〜５００Ｈｚの音を発生するものであれば上記実施形態以外でも良い。
【符号の説明】
【００４３】
１０，５０  有害動物忌避装置
１２  収容筒部材
１４，５２  音発生筒部材
２０  天面部
２６  嵌合筒部
２９  係止部
３６  電池
３８  制御部
４０  モータ
４２  回転軸
４３  プーリー
４４  コイルスプリング
４６  重り
【図１】
2018110546.tif 000003
【図２】
2018110546.tif 000004
【図３】
2018110546.tif 000005
【図４】
2018110546.tif 000006
【図５】
2018110546.tif 000007
【図６】
2018110546.tif 000008
【手続補正書】
【提出日】平成29年11月8日(2017.11.8)
【手続補正１】
【補正対象書類名】明細書
【補正対象項目名】全文
【補正方法】変更
【補正の内容】
【発明の詳細な説明】
【技術分野】
【０００１】
この発明は、農作物に害を与えるイノシシ等の有害動物が田畑や人家の近くに侵入することを防止する有害動物忌避装置に関する。
【背景技術】
【０００２】
従来、音や振動を発生させることにより有害動物の侵入を防ぐ装置が提案されている。例えば、特許文献１に開示されている有害動物撃退装置は、外側を覆う金属製の筒部材と、筒部材の内側に設けられた電池と、電池に接続されたモータを有する。モータの回転軸には、モータの回転により揺動して筒部材の内側面に当たって音を発生する重りが設けられている。モータを回転させると、重りが筒部材の内面に衝突して打撃音を発し、打撃音により有害動物を警戒させ追い払うことができる。
【０００３】
また、特許文献２には、イノシシなどの有害動物を忌避する装置であって、周波数１５０Ｈｚ〜８００Ｈｚの音波を発振する音波発振手段を備える有害動物忌避装置を開示している。この有害動物忌避装置の音波を発生させる装置は、スピーカーや笛である。
【先行技術文献】
【特許文献】
【０００４】
【特許文献１】特開２０１５−３９３５５号公報
【特許文献２】特開２０１０−２４６５３５号公報
【発明の概要】
【発明が解決しようとする課題】
【０００５】
上記背景技術の特許文献１に開示された有害動物撃退装置の場合、重りや筒部材が金属で作られ、筒部材に衝突して発生する音の周波数帯域が幅広く、打撃音が騒音となり、人にも不快感を与えるものである。さらに、金属製の重りを駆動するためモータの負担も大きく電池の消耗も早くなる場合もあった。
【０００６】
特許文献２に開示された有害動物忌避装置の場合、音の発生源がスピーカーや笛であり、スピーカーを野外に置いて長期間使用するには、電子機器やスピーカーの防水性や対候性が問題となる。また、笛は、常時使用できるものでなく、使用し難いものである。
【０００７】
この発明は、上記背景技術の問題点に鑑みてなされたものであり、耐久性が高く容易に使用可能であり、人には不快感が少ない音を使用して、有害動物には高い忌避効果を有し、確実に追い払うことができる有害動物忌避装置を提供することを目的とする。
【課題を解決するための手段】
【０００８】
本発明は、電源に接続されたモータと、前記モータにより回転する回転軸に接続され前記モータの回転により揺動する合成樹脂製の重りと、前記重りを囲む筒体である音発生筒部材とを備え、前記音発生筒部材は、合成樹脂により断面が多角形の筒体状に一体に形成され、前記筒体の一方の端部は開口され、他方の端部は板状の天面部で閉鎖されているとともに、前記天面部に透孔が形成されて筒体である収容筒部材が貫通して設けられ、前記収容筒部材の内側には前記電源と前記モータが設けられ、前記モータの前記回転軸が前記音発生筒部材の内側に突出して前記重りが接続され、前記モータの回転により前記重りが前記音発生筒部材の内周面に衝突して、有害動物が忌避反応を示す２００Ｈｚ〜８００Ｈｚ、好ましくは２００Ｈｚ〜５００Ｈｚの周波数の打撃音を発生する有害動物忌避装置である。
【０００９】
さらに、地面に設置された三脚を設け、前記三脚の内側で前記音発生筒部材の下端部の開口が下方を向いて吊り下げられ、前記収容筒部材の側面は、複数の連結保持部材により前記三脚に保持され、揺動が防止されて前記地面との間に所定の間隔を開けて前記音発生筒部材が安定に設置されているものである。前記三脚は、中間部が環部材により連結保持されていると良い。
【００１０】
前記音発生筒部材は、互いに隣接する側面の成す角度が９０度よりも大きく１５０度以下であると良い。特に、前記音発生筒部材は断面が五角形又は六角形の筒体に形成されているものである。
【００１１】
さらに、前記収容筒部材の下端部には、外側面を一周するフランジ部が設けられ、前記音発生筒部材の前記天面部を前記収容筒部材が貫通して取り付けられた状態で、前記フランジ部が前記音発生筒部材の前記天面部の裏面側に嵌合して位置決めされるものである。また、前記モータと前記重りの間には、コイルスプリングが設けられていると良い。
【００１２】
前記有害動物忌避装置には前記モータを制御する制御部が設けられ、前記制御部は前記モータを設定された時間間隔で繰り返し駆動すると良い。
【発明の効果】
【００１３】
本発明の有害動物忌避装置は、人には不快感が少ない音を発生させて、有害動物には高い忌避効果を有し確実に追い払うことができる。しかも、容易に使用可能であり、忌避効果が長期間持続し、耐久性も高いものである。
【図面の簡単な説明】
【００１４】
【図１】この発明の第一実施形態の有害動物忌避装置の正面図である。
【図２】この実施形態の有害動物忌避装置の斜視図である。
【図３】この実施形態の有害動物忌避装置の分解した正面図である。
【図４】この実施形態の有害動物忌避装置を設置した状態を示す斜視図である。
【図５】この発明の第二実施形態の有害動物忌避装置の正面図である。
【図６】この実施形態の有害動物忌避装置の斜視図である。
【発明を実施するための形態】
【００１５】
以下、この発明の実施形態について図面に基づいて説明する。図１〜図３はこの発明の第一実施形態を示すもので、この実施形態の有害動物忌避装置１０は、クマ等の大型の動物や、イノシシやハクビシン等を対象として、２００Ｈｚ〜８００Ｈｚ、好ましくは２００Ｈｚ〜５００Ｈｚの音で威嚇してこれらの有害動物を排除するものである。２００Ｈｚ〜８００Ｈｚの音は、打撃音等で発生してもよく、録音または合成した音を再生して流しても良い。２００Ｈｚ〜８００Ｈｚの音は、子供を持つイノシシが敵を威嚇する時に出す短く低い警戒音に似ているもので、イノシシ等の動物には不快な周波数の音である。
【００１６】
この実施形態の有害動物忌避装置１０は、後述する電池３６や制御部３８、モータ４０を覆う細長い円筒体であり軸方向が、使用状態において上下方向に位置する収容筒部材１２と、収容筒部材１２の下端部１２ａに取り付けられ収容筒部材１２より大きい径の六角筒体である音発生筒部材１４が互いに組み付けられて設けられている。
【００１７】
収容筒部材１２は、一定の断面形状を有する円筒体であり、上端部１２ｂと下端部１２ａは開口されている。収容筒部材１２の下端部１２ａの少し上方には、外側面を一周するフランジ部１５が設けられている。フランジ部１５は、上下方向の厚みが薄い四角形の板体であり、周縁部は、下端部１２ａに向かって湾曲した曲面に形成されている。フランジ部１５には、収容筒部材１２の直径の延長線上に２個、音発生筒部材１４に取り付けるためのネジ１８が螺合される図示しないネジ穴が設けられている。収容筒部材１２は、例えばＰＰ樹脂製やＰＥ樹脂製であり、色は例えばイノシシ等が認識可能な青である。
【００１８】
音発生筒部材１４は、水平方向の断面形状が上端部１４ｂよりも下端部１４ａの方が大きい形状であり、下端部１４ａに近づくにつれて徐々に広がる角錐台状である。音発生筒部材１４の下端部１４ａは開口され、上端部１４ｂは板状の天面部２０で閉鎖されている。なお、６つの側面と天面部２０の間の各角部は曲面で面取りされている。天面部２０の中心には、収容筒部材１２の下端部１２ａが挿通される透孔２２が上下に貫通して形成されている。天面部２０の上面の中央には、天面部２０から上方に高くなる矩形の段部２４が設けられ、さらに段部２４の上面には円筒状の嵌合筒部２６が形成され、段部２４と嵌合筒部２６の中心には透孔２２が上下に貫通している。段部２４の上面には、矩形の段部２４の対角線上に、収容筒部材１２のフランジ部１５のネジ穴に螺合されるネジ１８が差し込まれる挿通孔２８が一対設けられ、挿通孔２８は、天面部２０と段部２４を上下に貫通して設けられている。段部２４の下面には、挿通孔２８と同芯状に四角形の凹部２４ａが形成されている。凹部２４ａは、フランジ部１５が嵌合し位置決めされる形状に設けられている。
【００１９】
音発生筒部材１４は、例えばＰＰ樹脂製やＰＥ樹脂製であり、ブロー成形等により作られる。音発生筒部材１４は、２００Ｈｚ〜８００Ｈｚ、好ましくは２００Ｈｚ〜５００Ｈｚの音が発生するように、厚みが１ｍｍ〜１．５ｍｍである。大きさは、例えば六角筒を形成する６つの側面は台形状に形成され下底である下端部１４ａは例えば約４ｃｍであり、上底である上端部１４ｂは例えば約３．５ｃｍである。なお、音発生筒部材１４の下端部１４ａの大きさは、例えば６つの側面の辺同士の間隔は約１４ｃｍ、６つの側面の角部同士の間隔では約１６ｃｍとなる。上端部１４ｂの径は、６つの側面の辺同士の間隔が約１２ｃｍ、６つの側面の角部同士の間隔では約１３．８ｃｍとなる。下端部１４ａから上端部１４ｂまでの高さは約１３ｃｍである。色は、例えばイノシシ等が認識可能な青色が好ましい。
【００２０】
収容筒部材１２の上端部１２ｂは、キャップ１６が嵌められて閉鎖されている。キャップ１６は、収容筒部材１２の上端部１２ｂの開口を閉鎖する天面１６ａを有し、天面１６ａの周囲には収容筒部材１２の外側面を一周して覆う側面１６ｂが設けられている。天面１６ａの外側面には、吊り下げ用の孔を有した係止部２９が取り付けられている。天面１６ａの内側面には、後述するケース３２を吊り下げるフック３０が設けられている。キャップ１６は収容筒部材１２、音発生筒部材１４と同じく、ＰＰ樹脂製やＰＥ樹脂製であり、色は例えば青である。
【００２１】
収容筒部材１２の中には、収容筒部材１２より少し短い円筒形状の細長いケース３２が設けられている。ケース３２は、収容筒部材１２と同じくＰＰ樹脂製やＰＥ樹脂製であり、収容筒部材１２にわずかなゆとりを有して嵌合される円筒状の箱体である。ケース３２の、キャップ１６側となる上端部３２ｂの外側面には、係止突部３４が設けられ、係止突部３４には、キャップ１６のフック３０が差し込まれて吊り下げられる透孔３４ａが設けられている。
【００２２】
ケース３２の中には、電源である電池３６が２個直列で１組または直列に２組収容されている。電池３６は、例えばアルカリ単一電池である。ケース３２の中の、上端部３２ｂと反対側の下端部３２ａに近い位置には、制御用電子回路が形成された制御部３８が設けられ、さらに下端部３２ａ側には、モータ４０が設けられている。電池３６は、制御部３８とモータ４０に接続され、制御部３８とモータ４０も互いに接続されている。ケース３２には、電池３６の交換や、制御部３８とモータ４０のメンテナンスを行う図示しない蓋部が設けられている。
【００２３】
制御部３８には、図示しないタイマーが設けられ、後述するように、モータ４０を間欠駆動や、所定時間を区切ったタイマー駆動する制御を行う。さらに、制御部３８には、昼夜を判別するための光センサである明かりセンサと、イノシシ等の外周の体温を検出する焦電センサやその他の赤外線センサの体温センサの出力が入力されてもよく、明るさや対象物の有無に合わせて駆動しても良い。
【００２４】
ケース３２の下端部３２ａには、モータ４０の回転軸４２が外側に突出している。回転軸４２は、有害動物忌避装置１０の組立状態で収容筒部材１２の下端部１２ａから突出し、音発生筒部材１４の上端部１４ｂから音発生筒部材１４の内側に向かって突出する。回転軸４２の突出する先端には、円盤状の金属製のプーリー４３が同軸で固定されている。プーリー４３の周辺部には、厚み方向、つまり上下方向に貫通する孔部４３ａが複数、例えば４個形成されている。４個の孔部４３ａは、プーリー４３の円周に沿って等間隔に設けられている。プーリー４３の孔部４３ａの１個には、所定の長さのコイルスプリング４４が取り付けられている。コイルスプリング４４は、例えばＳＵＳ製の引張バネであり、直径０．８ｍｍ×外系１０ｍｍ×長さ３８ｍｍである。コイルスプリング４４の基端部がプーリー４３に連結され、先端部は下垂し、下垂した先端部には合成樹脂製の重り４６が取り付けられている。重り４６は、例えばＡＢＳ樹脂で射出成形によって作られ、直径が１４ｍｍの球体であり、重さは２ｇである。音発生筒部材１４に衝突した時に約２００Ｈｚ〜８００Ｈｚの音が発生するものである。コイルスプリング４４と重り４６は、音発生筒部材１４の内側に位置し、フリーな状態で揺動可能である。なお、プーリー４３のその他の３個の孔部４３ａは、長期間の使用により孔部４３ａが破損した時の予備である。
【００２５】
この実施形態の有害動物忌避装置１０の組立方法は、まず音発生筒部材１４の下端部１４ａから収容筒部材１２を入れ、透孔２２を挿通して上方に引き出し、収容筒部材１２のフランジ部１５が音発生筒部材１４の段部２４の下面側の四角形の凹部２４ａに嵌合し位置決めされる。そして、段部２４に形成された挿通孔２８に、ネジ１８を差し込み、ネジ１８の先端を収容筒部材１２のフランジ部１５に形成されたネジ穴に螺合して、一体に係止する。ケース３２に電池３６、プーリー４３、コイルスプリング４４、重り４６、キャップ１６を取り付け、収容筒部材１２の上端部１２ｂから入れ、キャップ１６を収容筒部材１２上端部１２ｂに係止する。音発生筒部材１４の内側にコイルスプリング４４と重り４６が揺動可能に位置し、組立が完了する。そして、係止部２９に紐等を巻き付けて、木の枝や柵に結んで吊り下げて使用する。
【００２６】
この実施形態の有害動物忌避装置１０の使用に際しては、例えば図４に示すように、地面に置いた三脚６０の内側に吊り下げられて設けられる。三脚６０は、３本のポール６０ａを有し、上端部は結束部材６０ｂで束ねられ、下端部を広げた状態でポール６０ａの外側に、大きさの異なる３個の環部材６０ｃ，６０ｄ，６０ｅを互いに上下に離間させて取り付け、三脚の形状を保っている。有害動物忌避装置１０の上端部にはステンレス製等のＳ字フック６２が取り付けられ、Ｓ字フック６２は紐体６４で三脚６０の結束部材６０ｂ付近に吊り下げられている。これにより有害動物忌避装置１０は、３本のポール６０ａ及び３個の環部材６０ｃ，６０ｄ，６０ｅの内側に吊り下げられ、下端部１４ａは三脚６０の高さの半分よりもやや地面に近い位置に達して保持されている。
【００２７】
音発生筒部材１４には、適当な長さの連結保持部材である針金６６の一端部を取り付け、針金６６の他方の端部を、三脚６０のポール６０ａや環部材６０ｃ，６０ｄに巻き回して取り付ける。針金６６は、音発生筒部材１４を中心として放射方向に３本取り付け、音発生筒部材１４が三脚６０の中心軸に一致して下垂するように保持している。音発生筒部材１４の嵌合筒部２６の側周面に、針金６６を通して連結するための連結突起６８が設けられていても良い。
【００２８】
次に有害動物忌避装置１０の動作について説明する。まず、図示しないスイッチを入れると、モータ４０が回転して、モータ４０の回転軸４２に取り付けられているプーリー４３と、コイルスプリング４４と重り４６が、所定の回転数で回転する。回転は、タイマーにより設定した時間帯のみ作動するように制御部３８により制御される。さらに、モータ４０の回転動作を間欠駆動するように制御する。例えば、５秒間回転し、３０秒間停止した後、７秒間回転し、２０秒間停止する。これを繰り返す。その他、例えば明かりセンサにより、夜間に動くイノシシ用に、暗くなったことを検知してモータ４０を回転させてもよく、イノシシ等の動物の体温を検知する体温センサを作動させて、体温センサが検知信号を発した時にモータ４０が回転するように設定しても良い。
【００２９】
モータ４０の回転時、重り４６には回転による遠心力が働き、コイルスプリング４４が伸ばされて、音発生筒部材１４の六角筒の内周面に重り４６が当たって打撃音を発生する。この時、重り４６が音発生筒部材１４に衝突して、モータ４０に作用する力が変化し、モータ４０の回転速度や、重り４６の衝突位置、タイミングが異なり、音発生筒部材１４の内周面には重り４６が均等に当たらず、ランダムに音発生筒部材１４の内周面に衝突する。これにより、六角筒の内周面に断続的に不規則に重り４６が衝突し、不規則な打撃音を発生するため、イノシシやハクビシン等の有害動物にとって不快な状況になり、しかも慣れることがない。発生する音は、モータ４０の回転数、音発生筒部材１４と重り４６の素材や形状を調節し、２００Ｈｚ〜８００Ｈｚ、好ましくは２００Ｈｚ〜５００Ｈｚの周波数の音にする。なお、音発生筒部材１４の厚みが１ｍｍの場合、１６４Ｈｚ〜７０６Ｈｚ、８６．８ｄｂ程度の音が発生する。発生した音は、音発生筒部材１４の下方の開口から拡散するように広がり、広範囲に不規則な音を発信して、イノシシやハクビシン等の有害動物を慣れさせずに、長時間忌避効果を維持する。
【００３０】
有害動物忌避装置１０の電池３６が消耗した時は、収容筒部材１２からキャップ１６を外し、ケース３２を引き出して、ケース３２の図示しない蓋部を外して新しい電池３６と交換する。長期間の使用によりプーリー４３の孔部４３ａが摩耗して、側面側に切れることがあるが、切れた時は、予備の３個の孔部４３ａのいずれかにコイルスプリング４４を付け替える。
【００３１】
この実施形態の有害動物忌避装置によれば、人には不快感が少ない周波数の音を発生させて、有害動物には高い忌避効果を有し確実に追い払うことができる。音発生筒部材１４と重り４６を樹脂にして、柔らかく大きな音を発生可能にし、２００Ｈｚ〜８００Ｈｚの低周波数の音を発することができる。この周波数帯は、人間には耳障りではない低い音であるが、有害動物は忌避行動をとる音であり、確実に必要な周波数で警告音を発生するものである。音発生筒部材１４と重り４６は、ともに金属の場合と比べて柔らかい材料である合成樹脂で作られているため、衝突を繰り返しても一方がすり減ることがなく、耐久性がある。特に重り４６の材料であるＡＢＳ樹脂は摩擦に強いため、耐久性が高い。また、音発生筒部材１４が円筒の場合、重り４６が内周面で滑るように連続的に当たって、大きな音が発生しないが、六角筒等の角がある形の場合には、内周面により強く重り４６が衝突して大きな音及び振動を発生することができる。特に、六角筒は隣接する側面同士の間の角度が鈍角であり、内周面に対して重り４６が小さい角度で衝突し、跳ね返る角度も小さいため、滑らかに且つ連続的な打撃音が発生し、音発生筒部材１４および重り４６の寿命も長くなる。その他、跳ね返る角度が小さくスムーズに回転することができるため、重り４６とコイルスプリング４４が上方に跳ね上がってプーリー４３に絡むというトラブルがない。なお、五角筒でも同様であり、隣接する側面同士の間の角度が鈍角でありスムーズに回転することができる。
【００３２】
コイルスプリング４４は、長さが遠心力の強さにより変化し、重り４６が音発生筒部材１４の六角筒の内周面に均等に当たらず、不規則な音を断続的に発生する。このため、臆病で警戒心の強いイノシシやハクビシン等の有害動物にとって、不規則な音は警戒心を誘い、より効果的に長期間これらの有害動物を近づけない効果が持続する。
【００３３】
さらに、制御部３８により間欠的に駆動されるものであり、常時音が発生することがなく、この点からも静かで、寿命も長くなる。また、人間には耳障りではない低い音であるため、民家の近くでも使用可能であり、民家近くに出没するタヌキやハクビシンにも使用し追い払うことができる。なお、この発明による有害動物忌避装置は、録音した２００Ｈｚ〜８００Ｈｚ、好ましくは２００Ｈｚ〜５００Ｈｚの音を再生して発生させても、同様の効果を得ることができる。
【００３４】
プーリー４３には４個の孔部４３ａが設けられているため、長期間の使用により孔部４３ａが切れても予備の孔部４３ａにコイルスプリング４４を付け替えて使用することができる。音発生筒部材１４は、嵌合筒部２６に収容筒部材１２が挿通されて確実に取り付けられるため、風の影響等により、収容筒部材１２に対する横揺れと上下の振動を防ぐことができ、安定して音を発生させることができる。
【００３５】
また、有害動物忌避装置１０は安価であり、小形で製造が簡単であるため、容易に利用することができる。キャップ１６は簡単に防水構造にすることができ、耐水性を容易にかつ確実に持たせることができ、天候に関わらず屋外で長時間使用することができる。さらに、メンテナンスが容易であり、電池３６を交換して繰り返し使用することができ、省エネルギーで効率よく、長時間継続的に必要な周波数と必要な音量の警告音を出すことができ、ランニングコストも安価なものである。
【００３６】
特に、制御部３８によりタイマー駆動することによって、無駄な動作を省き省電力になり、間欠駆動によりさらに効率の良い駆動を行うことができる。また、明かりセンサや体温センサと組み合わせてモータ４０を駆動することができ、更に高効率で動作させることができ、無駄な音の発生を抑えて電池寿命を延ばし、メンテナンス回数も減らすことができる。
【００３７】
さらに、有害動物忌避装置１０は、三脚６０にＳ字フック６２と紐体６４により吊り下げられ、環部材６０ｃ，６０ｄ，６０ｅに針金６６等の連結保持部材で取り付けて設置することにより、確実に保持固定される。環部材６０ｃ，６０ｄ，６０ｅに針金６６等の連結保持部材で取り付けることにより、音発生筒部材１４が収容筒部材１２から外れることを阻止し、風で揺れ動くことが効果的に防止され、中間の環部材６０ｄにより三脚６０の外にはみ出て揺れることも防ぐことができる。また、三脚６０に取り付けることにより、音発生筒部材１４の形状が大きくても風の影響で大きく揺れることがなく、確実に大きな警告音を発生することができる。環部材６０ｃ，６０ｄ，６０ｅは、三脚６０を強固に固定し、音発生筒部材１４の保護も兼ねており、有害動物忌避装置１０を安定に設置することができる。この他、三脚６０には、Ｓ字フック６２によりワンタッチで取り付けることができ、着脱が簡単であり、また音発生筒部材１４には影響が出ない。Ｓ字フック６２はステンレス製であり、耐久性がある。
【００３８】
次にこの発明の第二実施形態について図５、図６に基づいて説明する。なお、ここで、上記実施形態と同様の部材は同様の符号を付して説明を省略する。この実施形態の有害動物忌避装置５０は、収容筒部材１２と、収容筒部材１２の下端部１２ａに取り付けられ収容筒部材１２より大きい径の四角筒体である音発生筒部材５２が互いに組み付けられて設けられている。四角筒体は、隣接する側面同士の間の角度が直角であり、上記実施形態の六角筒体の場合よりも内周面に重り４６が大きい角度で衝突し跳ね返る角度も大きいが、回転数が低い場合など、条件によっては四角筒を使用する。
【００３９】
収容筒部材１２は、一定の断面形状を有する円筒体であり、上端部１２ｂと下端部１２ａは開口されている。収容筒部材１２の下端部１２ａの少し上方には、外側面を一周するフランジ部５４が設けられている。フランジ部５４は板状であり、上端部１２ｂに向かって突出する差込突起５６が、収容筒部材１２の直径の延長線上に一対ずつ、計２個設けられている。
【００４０】
音発生筒部材５２は、水平方向の断面形状が上端部５２ｂよりも下端部５２ａの方が大きい形状であり、下端部５２ａに近づくにつれて徐々に広がる四角錐台状である。音発生筒部材５２の下端部５２ａは開口され、上端部５２ｂは板状の天面部２０で閉鎖されている。天面部２０の中心には、収容筒部材１２の下端部１２ａが挿通される透孔２２が上下に貫通して形成されている。天面部２０の上面の中央には、天面部２０から上方に高くなる矩形の段部２４が設けられ、さらに段部２４の上面には円筒状の嵌合筒部２６が形成され、段部２４と嵌合筒部２６の中心には透孔２２が上下に貫通している。段部２４の上面には、矩形の段部２４の対角線上に、収容筒部材１２のフランジ部５４の差込突起５６が差し込まれて係止する挿通孔５８が一対設けられ、挿通孔５８は、天面部２０と段部２４を上下に貫通して設けられている。音発生筒部材５２は、例えばＰＰ樹脂製やＰＥ樹脂製であり、ブロー成形により作られる。音発生筒部材５２は、２００Ｈｚ〜８００Ｈｚ、好ましくは２００Ｈｚ〜５００Ｈｚの音が発生するように、厚みは１ｍｍ〜１．５ｍｍである。大きさは、例えば四角筒を形成する４つの側面の下端部１４ａは約１３．５ｃｍ、上端部１４ｂは約１１．５ｃｍであり、音発生筒部材５２の下端部５２ａから上端部５２ｂまでの高さは約１３ｃｍである。色はイノシシ等が認識可能な青色である。
【００４１】
この実施形態の有害動物忌避装置５０によれば、上記実施の形態と同様の組立方法で製造され、同様の使用方法であり、同様の効果を有するものである。収容筒部材１２と音発生筒部材５２の連結にねじ等を使用せず、組立が容易であり、工具がない屋外等でも簡単に組み立てることができる。
【００４２】
なお、この発明の有害動物忌避装置は、上記実施の形態に限定されるものではなく、音発生筒部材の形状は、四角筒や六角筒以外に五角筒でも良く、五角形や六角形、八角形等、音発生筒部材は、互いに隣接する側面の成す角度が９０度よりも大きく１５０度以下の場合、特に好ましい。音発生筒部材の隣接する各側面がこのように形成されていると、上述のように、直角に交わる四角形の場合と比較して、側面に対する重りの跳ね返る角度が小さくなり、重りが回転軸に絡み付く等の弊害がなく、衝撃音も連続的に滑らかに発生する。さらに、長丸や楕円、半円状の断面形状でもよく、効果的に打撃音を発することができる形状であれば良い。音発生筒部材と収容筒部材は、一体的に合成樹脂で成形されて設けられていても良い。また、有害動物忌避装置を吊り下げる手段は係止部やＳ字フック以外でもよく、ケースをキャップに吊り下げるフックも、適宜変更可能である。コイルスプリングの強さや重りの重さ、モータの回転数は適宜変更可能であり、打撃による衝撃音が発生するように重りが音発生筒部材に断続的にぶつかるものであれば良い。電源は、充電式の電地や太陽電池等でも良い。各部材の合成樹脂の材料は、２００Ｈｚ〜８００Ｈｚ、好ましくは２００Ｈｚ〜５００Ｈｚの音を発生するものであれば上記実施形態以外でも良い。
【符号の説明】
【００４３】
１０，５０  有害動物忌避装置
１２  収容筒部材
１４，５２  音発生筒部材
２０  天面部
２６  嵌合筒部
２９  係止部
３６  電池
３８  制御部
４０  モータ
４２  回転軸
４３  プーリー
４４  コイルスプリング
４６  重り
【手続補正２】
【補正対象書類名】特許請求の範囲
【補正対象項目名】全文
【補正方法】変更
【補正の内容】
【特許請求の範囲】
【請求項１】
電源に接続されたモータと、前記モータにより回転する回転軸に接続され前記モータの回転により揺動する合成樹脂製の重りと、前記重りを囲む筒体である音発生筒部材とを備え、
前記音発生筒部材は、合成樹脂により断面が多角形の筒体状に一体に形成され、前記筒体の一方の端部は開口され、他方の端部は板状の天面部で閉鎖されているとともに、前記天面部に透孔が形成されて筒体である収容筒部材が貫通して設けられ、
前記収容筒部材の内側には前記電源と前記モータが設けられ、前記モータの前記回転軸が前記音発生筒部材の内側に突出して前記重りが接続され、
地面に設置された三脚を設け、前記三脚の内側で前記音発生筒部材の下端部の開口が下方を向いて吊り下げられ、前記収容筒部材の側面は、複数の連結保持部材により前記三脚に保持され、揺動が防止されて前記地面との間に所定の間隔を開けて前記音発生筒部材が安定に設置され、
前記モータの回転により前記重りが前記音発生筒部材の内周面に衝突して、有害動物が忌避反応を示す２００Ｈｚ〜８００Ｈｚの周波数の打撃音を発生することを特徴とする有害動物忌避装置
【請求項２】
前記三脚は、中間部が環部材により連結保持されている請求項１記載の有害動物忌避装置。
【請求項３】
前記音発生筒部材は、互いに隣接する側面の成す角度が９０度よりも大きく１５０度以下である請求項１記載の有害動物忌避装置。
【請求項４】
前記音発生筒部材は、断面が五角形又は六角形の筒体に形成されている請求項３記載の有害動物忌避装置。
【請求項５】
前記収容筒部材の下端部には、外側面を一周するフランジ部が設けられ、前記音発生筒部材の前記天面部を前記収容筒部材が貫通して取り付けられた状態で、前記フランジ部が前記音発生筒部材の前記天面部の裏面側に嵌合して位置決めされる請求項１記載の有害動物忌避装置。
【請求項６】
前記モータと前記重りの間には、コイルスプリングが設けられている請求項３記載の有害動物忌避装置。
【請求項７】
前記有害動物忌避装置には前記モータを制御する制御部が設けられ、前記制御部は前記モータを設定された時間間隔で繰り返し駆動する請求項６記載の有害動物忌避装置。
【手続補正書】
【提出日】平成30年3月19日(2018.3.19)
【手続補正１】
【補正対象書類名】明細書
【補正対象項目名】０００９
【補正方法】変更
【補正の内容】
【０００９】
さらに、地面に設置された三脚を設け、前記三脚の内側で前記音発生筒部材は、その下端部の開口が下方を向いて吊り下げられ、前記音発生筒部材の、前記収容筒部材に取り付けられた部分は、複数の連結保持部材により前記三脚に保持され、揺動が防止されて前記地面との間に所定の間隔を開けて前記音発生筒部材が安定に設置されているものである。前記三脚は、中間部が環部材により連結保持されていると良い。
【手続補正２】
【補正対象書類名】明細書
【補正対象項目名】００２７
【補正方法】変更
【補正の内容】
【００２７】
音発生筒部材１４には、適当な長さの連結保持部材である針金６６の一端部を取り付け、針金６６の他方の端部を、三脚６０のポール６０ａや環部材６０ｃ，６０ｄに巻き回して取り付ける。針金６６は、音発生筒部材１４を中心として放射方向に３本取り付け、音発生筒部材１４が三脚６０の中心軸に一致して下垂するように保持している。音発生筒部材１４の嵌合筒部２６の側周面に、図４に示すように、針金６６を通して連結するための連結突起６８が設けられている。
【手続補正３】
【補正対象書類名】特許請求の範囲
【補正対象項目名】請求項１
【補正方法】変更
【補正の内容】
【請求項１】
電源に接続されたモータと、前記モータにより回転する回転軸に接続され前記モータの回転により揺動する合成樹脂製の重りと、前記重りを囲む筒体である音発生筒部材とを備え、
前記音発生筒部材は、合成樹脂により断面が多角形の筒体状に一体に形成され、前記筒体の一方の端部は開口され、他方の端部は板状の天面部で閉鎖されているとともに、前記天面部に透孔が形成されて筒体である収容筒部材が貫通して設けられ、
前記収容筒部材の内側には前記電源と前記モータが設けられ、前記モータの前記回転軸が前記音発生筒部材の内側に突出して前記重りが接続され、
地面に設置された三脚を設け、前記三脚の内側で前記音発生筒部材は、その下端部の開口が下方を向いて吊り下げられ、前記音発生筒部材の、前記収容筒部材に取り付けられた部分は、複数の連結保持部材により前記三脚に保持され、揺動が防止されて前記地面との間に所定の間隔を開けて前記音発生筒部材が安定に設置され、
前記モータの回転により前記重りが前記音発生筒部材の内周面に衝突して、有害動物が忌避反応を示す２００Ｈｚ〜８００Ｈｚの周波数の打撃音を発生することを特徴とする有害動物忌避装置。